(57)【要約】【課題】明るさの変動等による表示品位の低下を抑制できるプロジェクターを提供する。【解決手段】本発明のプロジェクター１０は、ランプ５２を含む照明装置５０と、照明装置から射出された光を映像信号に応じて変調する液晶パネル３２と、液晶パネル３２により変調された光による画像をスクリーンＳＣ上に投射する投射光学系５８と、周波数が時間的に変化する交流電力をランプに供給するランプ駆動部５４と、スクリーン照度を駆動周波数ごとに計測する照度センサー３４と、照度センサー３４の計測結果に基づいて、ランプ５２に供給する駆動電力の駆動周波数ごとに画像の明るさを補正する制御部４０と、を備える。【選択図】図１
2015114449.tif 000002
【特許請求の範囲】
【請求項１】
ランプを含む照明装置と、
前記照明装置から射出された光を映像信号に応じて変調する光変調素子と、
前記光変調素子により変調された光による画像を被投射面上に投射する投射光学系と、
周波数が時間的に変化する交流電力を前記ランプに供給するランプ駆動部と、
前記画像の明るさに対応するパラメーターを前記交流電力の周波数ごとに計測するパラメーター計測部と、
前記パラメーター計測部の計測結果に基づいて、前記ランプに供給する前記交流電力の周波数ごとに前記画像の明るさを補正する制御部と、を備えたことを特徴とするプロジェクター。
【請求項２】
前記制御部は、ランプ制御部を含み、
前記ランプ制御部は、前記パラメーター計測部の計測結果に基づいて、前記交流電力の周波数ごとの電力補正値を決定し、前記電力補正値を前記ランプ駆動部に供給することを特徴とする請求項１に記載のプロジェクター。
【請求項３】
前記ランプから射出された光の量を調節する調光装置をさらに備え、
前記制御部は、調光装置制御部を含み、
前記調光装置制御部は、前記パラメーター計測部の計測結果に基づいて、前記交流電力の周波数ごとの調光信号補正値を決定し、前記調光信号補正値を前記調光装置に供給することを特徴とする請求項１に記載のプロジェクター。
【請求項４】
前記パラメーター計測部は、前記パラメーターとして前記被投射面上での光の照度を計測することを特徴とする請求項１から請求項３のいずれか一項に記載のプロジェクター。
【請求項５】
前記パラメーター計測部は、前記パラメーターとして前記ランプから射出される光の強度を計測することを特徴とする請求項１から請求項３のいずれか一項に記載のプロジェクター。
【請求項６】
前記パラメーター計測部は、前記ランプの点灯開始時に前記パラメーターを計測することを特徴とする請求項１から請求項５のいずれか一項に記載のプロジェクター。
【請求項７】
前記パラメーター計測部は、前記プロジェクターの所定の累積使用時間経過後に前記パラメーターを計測することを特徴とする請求項１から請求項６のいずれか一項に記載のプロジェクター。
【請求項８】
ランプを含む照明装置と、
前記照明装置から射出された光を映像信号に応じて変調する光変調素子と、
前記光変調素子により変調された光による画像を被投射面上に投射する投射光学系と、
交流電力を前記ランプに供給するランプ駆動部と、
を有するプロジェクターの制御方法において、
前記交流電力の周波数を変化させて前記画像の明るさに対応するパラメーターを前記交流電力の周波数ごとに計測するステップと、
前記パラメーターの計測結果に基づいて、前記交流電力の周波数ごとに前記画像の明るさを補正するステップと、
を含むことを特徴とするプロジェクターの制御方法。
【発明の詳細な説明】
【技術分野】
【０００１】
本発明は、プロジェクター及びプロジェクターの制御方法に関する。
【背景技術】
【０００２】
プロジェクターの光源として、高圧水銀ランプ、メタルハライドランプ等の放電ランプが用いられている。この種の放電ランプを同一の駆動電力で駆動したとしても、照明光の強度は使用するランプによって異なる。放電ランプを備えるプロジェクターにおいて、ランプごとの照明光の強度バラツキに起因する画像の明るさバラツキを抑制する技術が、下記の特許文献１に開示されている。特許文献１に開示されたプロジェクターは、投射画像の明るさとコントラスト比との少なくとも一方を検出する検出部と、検出部の検出値に基づいて光源ランプの駆動電力を設定するランプ制御部と、を備えている。
【先行技術文献】
【特許文献】
【０００３】
【特許文献１】特開２００５−１０６９５１号公報
【発明の概要】
【発明が解決しようとする課題】
【０００４】
放電ランプを安定して駆動するためには、ランプ内部の電極の挙動を的確に制御する必要がある。そのため、複雑な波形を有する駆動電力により放電ランプを駆動することが検討されている。例えば、１ｋＨｚ以上の高周波電力と１ｋＨｚ未満の低周波電力とを交互に組み合わせた駆動電力を用いて放電ランプを駆動することが提案されている。しかし、このように周波数が時間的に変化する駆動電力で特許文献１のプロジェクターを駆動した場合、明るさの変動が発生し、表示品位が低下するという問題がある。
【０００５】
本発明の一つの態様は、上記の課題を解決するためになされたものであって、明るさの変動等による表示品位の低下を抑制できるプロジェクター及びプロジェクターの制御方法を提供することを目的の一つとする。
【課題を解決するための手段】
【０００６】
上記の目的を達成するために、本発明の一つの態様のプロジェクターは、ランプを含む照明装置と、前記照明装置から射出された光を映像信号に応じて変調する光変調素子と、前記光変調素子により変調された光による画像を被投射面上に投射する投射光学系と、周波数が時間的に変化する交流電力を前記ランプに供給するランプ駆動部と、前記画像の明るさに対応するパラメーターを前記交流電力の周波数ごとに計測するパラメーター計測部と、前記パラメーター計測部の計測結果に基づいて、前記ランプに供給する前記交流電力の周波数ごとに前記画像の明るさを補正する制御部と、を備えたことを特徴とする。
【０００７】
本発明の一つの態様のプロジェクターにおいては、パラメーター計測部が画像の明るさに対応するパラメーターを交流電力の周波数ごとに計測し、制御部は、パラメーター計測部の計測結果に基づき、ランプに供給する交流電力の周波数ごとに画像の明るさを補正する。したがって、本発明の一つの態様のプロジェクターによれば、周波数が時間的に変化する交流電力がランプ駆動部からランプに供給された際に画像の明るさ変動が抑えられ、表示品位の低下を抑制できる。
【０００８】
本発明の一つの態様のプロジェクターにおいて、前記制御部は、ランプ制御部を含み、前記ランプ制御部は、前記パラメーター計測部の計測結果に基づいて、前記交流電力の周波数ごとの電力補正値を決定し、前記電力補正値を前記ランプ駆動部に供給する構成であってもよい。
この構成によれば、交流電力の周波数ごとに決定された電力補正値がランプ駆動部に供給され、この電力補正値によりランプが駆動される。これにより、ランプから射出される光の強度の変動が抑制され、画像の明るさの変動が抑制される。
【０００９】
本発明の一つの態様のプロジェクターは、前記ランプから射出された光の量を調節する調光装置をさらに備え、前記制御部は、調光装置制御部を含み、前記調光装置制御部は、前記パラメーター計測部の計測結果に基づいて、前記交流電力の周波数ごとの調光信号補正値を決定し、前記調光信号補正値を前記調光装置に供給する構成であってもよい。
この構成によれば、交流電力の周波数ごとに決定された調光信号補正値が調光装置に供給され、この調光信号補正値により調光装置が駆動される。そのため、ランプから射出される光の強度が仮に変動したとしても、調光装置を通過する光の強度の変動が抑制され、画像の明るさの変動が抑制される。
【００１０】
本発明の一つの態様のプロジェクターにおいて、前記パラメーター計測部は、前記パラメーターとして、前記被投射面上での光の照度を計測する構成であってもよい。
この構成によれば、被投射面上での光の照度に基づいて画像の明るさが補正されるため、プロジェクター全体として、観察者が直接観察する画像の明るさの変動を的確に抑制できる。
【００１１】
本発明の一つの態様のプロジェクターにおいて、前記パラメーター計測部は、前記パラメーターとして、前記ランプから射出される光の強度を計測する構成であってもよい。
この構成によれば、ランプから射出される光の強度に基づいて画像の明るさが補正されるため、ランプから射出される光の強度変動に起因する画像の明るさ変動を的確に抑制できる。
【００１２】
本発明の一つの態様のプロジェクターにおいて、前記パラメーター計測部は、前記ランプの点灯開始時に前記パラメーターを計測する構成であってもよい。
この構成によれば、ランプの点灯開始ごと、すなわちプロジェクターを使用するごとに画像の明るさを補正し、表示品位を維持できる。
【００１３】
本発明の一つの態様のプロジェクターにおいて、前記パラメーター計測部は、前記プロジェクターの所定の累積使用時間経過後に前記パラメーターを計測する構成であってもよい。
この構成によれば、例えば、ランプの劣化等に起因してランプから射出される光の強度の変動が生じた場合などにおいても表示品位を維持できる。
【００１４】
本発明の一つの態様のプロジェクターの制御方法は、ランプを含む照明装置と、前記照明装置から射出された光を映像信号に応じて変調する光変調素子と、前記光変調素子により変調された光による画像を被投射面上に投射する投射光学系と、交流電力を前記ランプに供給するランプ駆動部と、を有するプロジェクターの制御方法において、前記交流電力の周波数を変化させて前記画像の明るさに対応するパラメーターを前記交流電力の周波数ごとに計測するステップと、前記パラメーターの計測結果に基づいて、前記交流電力の周波数ごとに前記画像の明るさを補正するステップと、を含むことを特徴とする。
本発明の一つの態様のプロジェクターの制御方法においては、交流電力の周波数を変化させて画像の明るさに対応するパラメーターを交流電力の周波数ごとに計測し、パラメーターの計測結果に基づいて交流電力の周波数ごとに画像の明るさを補正する。これにより、周波数が時間的に変化する交流電力がランプに供給された際に画像の明るさ変動が抑えられ、表示品位の低下を抑制できる。
【図面の簡単な説明】
【００１５】
【図１】本発明の第１実施形態のプロジェクターの概略構成図である。
【図２】駆動周波数とスクリーン照度との関係の一例を示す図である。
【図３】複数のランプにおいて、駆動周波数を変えたときのランプ電圧とスクリーン照度との関係を示す図である。
【図４】駆動電力の補正の手順を示すフローチャートである。
【図５】本発明の第２実施形態のプロジェクターの概略構成図である。
【図６】本発明の第３実施形態のプロジェクターの概略構成図である。
【発明を実施するための形態】
【００１６】
以下、図面を参照しながら、本発明の実施形態に係るプロジェクターについて説明する。
本実施形態のプロジェクターは、照度センサーを備えたプロジェクターの一例である。
なお、本発明の範囲は、以下の実施の形態に限定されるものではなく、本発明の技術的思想の範囲内で任意に変更可能である。また、以下の図面においては、各構成要素をわかりやすくするために、構成要素によって縮尺や数等を異ならせる場合がある。
【００１７】
図１に示すように、本実施形態のプロジェクター１０は、レシーバー１２と、画像処理部２０と、液晶パネル駆動部３０と、液晶パネル３２と、制御部４０と、を備えている。さらに、プロジェクター１０は、液晶パネル３２を照明するための照明装置５０と、液晶パネル３２を透過した透過光をスクリーンＳＣ上に投射するための投射光学系５８と、スクリーンＳＣ上の照度を検出するための照度センサー３４とを備えている。
【００１８】
照度センサー３４は、スクリーンＳＣ上の点ｐにおける照度を検出する。本実施形態では、駆動電力の補正に用いる画像の明るさに対応するパラメーターとして、スクリーンＳＣ上の照度（スクリーンＳＣ上の一つの点ｐにおける照度）を採用する。したがって、本実施形態の「照度センサー３４」は、特許請求の範囲の「パラメーター計測部」に相当する。
【００１９】
レシーバー１２は、図示しないパーソナルコンピューターなどから供給される画像信号ＶＳを入力し、画像処理部２０で処理可能な形式の画像データに変換する。画像信号ＶＳは、アナログ画像信号であってもよいし、デジタル画像信号であってもよい。
【００２０】
画像処理部２０は、レシーバー１２を介して入力された画像データに対して、輝度調整、色バランス調整、コントラスト調整、シャープネス調整などの画質調整、画像サイズを拡大／縮小する処理、プロジェクター１０によってあおり投射を行うときの台形歪補正処理、等の各種画像処理を施す。
【００２１】
液晶パネル駆動部３０は、画像処理部２０において画像処理が施された画像データに基づいて、液晶パネル３２を駆動するための駆動信号を生成する。
【００２２】
液晶パネル３２は、液晶パネル駆動部３０で生成された駆動信号に応じて、照明装置５０から射出された照明光を変調する。液晶パネル３２は、例えば透過型の液晶パネルで構成される。液晶パネル３２は、照明装置５０から射出された照明光を変調するライトバルブとして使用される。本実施形態の「液晶パネル３２」は、特許請求の範囲の「光変調素子」に相当する。
【００２３】
照明装置５０は、ランプ５２と、ランプ駆動部５４とを備えている。本実施形態では、ランプ５２として超高圧水銀ランプを用いる。ただし、ランプ５２として、メタルハライドランプ、キセノンランプなどの他の放電ランプを用いてもよい。ランプ５２は、放電媒体が封入された空間内に一対の電極（図示略）が対向配置されたものである。
【００２４】
ランプ駆動部５４は、制御部４０内のランプ制御部４２で設定された設定値に従って、ランプに供給する駆動電力を適宜変更してランプ５２を駆動することが可能である。駆動電力を変更することにより、ランプ５２から射出される照明光の明るさを変更できる。本実施形態の場合、ランプに供給する駆動電力として、異なる複数種の周波数を持つ波形を時系列的に組み合わせた交流電力、すなわち、周波数が時間的に変化する交流電力が用いられる。
【００２５】
投射光学系５８は、ズーム機能を備えた投射レンズ（図示略）を備えている。投射レンズにおいては、ズームモーターを駆動してズーム比を変更し、焦点距離を変化させることにより、ピントを合わせたまま、スクリーンＳＣ上の投射領域、すなわち、投射画像のサイズを変化させることができる。
【００２６】
図示は省略するが、プロジェクター１０は、赤（Ｒ）、緑（Ｇ）、青（Ｂ）の各色の３枚の液晶パネル３２を備えている。液晶パネル３２の各々は、各色の画像データを処理する機能を備えている。照明装置５０は、ランプ５２から射出された白色光をＲ，Ｇ，Ｂの３つの色光に分離する色光分離光学系を備えている。投射光学系５８は、３色の画像光を合成してカラー画像を表す画像光を生成する合成光学系を備えている。
【００２７】
制御部４０は、図示しないリモートコントローラー、プロジェクター１０本体に備えられた操作ボタンなどの操作に従って、画像処理部２０、投射光学系５８等を制御する。すなわち、制御部４０は、画像処理部２０で用いられる各種パラメーター値を設定する、投射光学系５８によるズーム比の変更や投射画像のピント合わせを行わせる等の動作を行う。
【００２８】
制御部４０内のランプ制御部４２は、省電力モード、定常モード等のランプ５２の制御モードを切り換えるための切換スイッチ（図示略）の状態に応じて、制御モードを切り換えてランプ駆動部５４を制御する。さらに、ランプ制御部４２は、例えば制御モードが省電力モードであるときに、照度センサー３４の検出値、投射距離、投射レンズのズーム比等に基づいて、ランプ駆動部５４を制御し、ランプ５２の照明光の明るさを制御する。また、ランプ制御部４２は、照度センサー３４によるスクリーン照度の計測結果に基づいて、駆動周波数ごとの電力補正値を決定し、電力補正値をランプ駆動部５４に供給する。
【００２９】
以下、本発明者らが新たに得た知見について説明する。
本発明者らは、上記構成のプロジェクター１０において、同一のランプ、同一のランプ点灯回路を用い、ランプに供給する駆動電力を一定にし、駆動周波数のみ変化させたときのスクリーンＳＣ上の所定の点ｐの照度を計測した。以下、スクリーンＳＣ上の所定の点ｐの照度のことをスクリーン照度と称する。
【００３０】
スクリーン照度の計測結果を図２に示す。図２の横軸は駆動周波数を示し、縦軸はスクリーン照度を示す。スクリーン照度は、照度センサー３４からの出力電圧値［Ｖ］で示す。
図２に示すように、駆動周波数を１５０Ｈｚ、４．１２５ｋＨｚ、３ｋＨｚ、２ｋＨｚ、１．４ｋＨｚ、１ｋＨｚと６種類に変更した結果、ランプ５２に供給した駆動電力が一定であるにも係わらず、スクリーン照度が変化することがわかった。本発明者らの推察によれば、駆動周波数の変更に伴ってスクリーン照度が変化する原因は、駆動周波数の変更に伴って電力波形のオーバーシュートやリンギングの出方が変化し、実効的な駆動電力が変化することで照明光の強度が変化するためである。また、駆動周波数とスクリーン照度との間に明確な相関関係は見られず、実際に計測を行っていない上記の６種類以外の駆動周波数でのスクリーン照度の推定は困難であることがわかった。
【００３１】
また、本発明者らは、異なる３個のランプを用い、ランプに供給する駆動電力を一定にする一方、駆動周波数を５ｋＨｚ、１５０Ｈｚの２種類に変化させたときのランプ電圧とスクリーン照度との関係を求めた。ランプ電圧とスクリーン照度との関係を図３に示す。図３の横軸はランプ電圧［Ｖ］を示し、縦軸はスクリーン照度を示す。図２と同様、スクリーン照度は、照度センサー３４からの出力電圧値［Ｖ］で示す。
上述したように、同じランプであっても、駆動周波数が異なるとスクリーン照度は異なることがわかった。それに加えて、ランプが異なると、ランプ電圧が同じであってもスクリーン照度が異なることがわかった。この原因は、ランプ点灯回路から見たランプの負荷にバラツキがあるためと推察される。
【００３２】
そこで、駆動周波数を変えたときのスクリーン照度のバラツキを抑えるために、プロジェクターにおいて使用する全ての駆動周波数において、スクリーン照度の計測値が目標値と一致するように、個々のランプに対して駆動電力を補正する必要がある。
【００３３】
以下、本実施形態の駆動電力の補正の手順について、図４を参照して説明する。
本実施形態では、ランプ５２の点灯開始時に駆動電力の補正を行う場合を例に挙げて説明する。この場合、使用者がプロジェクター１０を使用するごとに駆動電力の補正が行われるため、画像の明るさ変動が常時抑えられる点で好適である。
【００３４】
駆動電力の補正を行う時期については、ランプ５２の点灯開始時以外にも種々の場合が考えられる。
例えば、プロジェクター１０の出荷前に駆動電力の補正を行うことが可能である。この場合、出荷前に求めた電力補正値を例えば制御部４０等に予め記憶させておけば、後述する駆動電力補正モードをプロジェクターが備える必要がなく、動作が簡単になる。その反面、電力補正値は固定されているため、ランプの経時変化等に対応することが難しい。
【００３５】
もしくは、プロジェクター１０の所定の累積使用時間経過後に駆動電力の補正を行うことが可能である。この構成によれば、ランプ５２の経時変化等によりスクリーン照度が変化する場合にも、電力補正値を最適な値に更新することができる。
【００３６】
もしくは、ランプ５２の交換を行った直後に駆動電力の補正を行うことも可能である。この構成によれば、ランプ５２が変わった場合に、そのランプに固有の電力補正値を設定することができる。
【００３７】
使用者がプロジェクター１０の電源を投入すると、ランプ５２が点灯する（図４のステップＳ１）。この後、駆動電力補正モードに入る。
最初に、制御部４０は、駆動周波数を所定の値に設定する（図４のステップＳ２）。例えば、定常表示において１５０Ｈｚ、１ｋＨｚ、２ｋＨｚの３種類の駆動周波数を使用する場合、最初に駆動周波数を例えば１５０Ｈｚに設定する。
次に、ランプ駆動部５４からランプ５２に任意の駆動電力が供給され、照度センサー３４がスクリーン照度を計測する（図４のステップＳ３）。このとき、液晶パネル３２においては、例えば表示領域の全域を白表示としておく。もしくは、任意のパターンを表示してもよい。
【００３８】
次に、ランプ制御部４２は、照度センサー３４が得たスクリーン照度の計測値と、ランプ５２に供給した駆動電力に応じたスクリーン照度の目標値と、を比較する（図４のステップＳ４）。スクリーン照度の計測値と目標値とが一致した場合、現在の駆動電力を電力補正値に設定する（図４のステップＳ５）。スクリーン照度の計測値と目標値とが最初から一致している場合、駆動電力の補正は不要であり、その駆動周波数については駆動電力の補正は行われないが、説明の便宜上、この場合の駆動電力も電力補正値と称する。
【００３９】
スクリーン照度の計測値と目標値とが一致していない場合、ランプ制御部４２は駆動電力を変更する（図４のステップＳ６）。このとき、駆動電力の変化に伴ってスクリーン照度が変化するため、照度センサー３４がスクリーン照度を再度計測する（図４のステップＳ３）。ランプ制御部４２は、スクリーン照度の計測値と目標値とを再度比較する（図４のステップＳ４）。この手順をスクリーン照度の計測値と目標値とが一致するまで繰り返す。ランプ制御部４２は、計測値と目標値とが一致した時点での駆動電力を電力補正値に設定する。電力補正値は、例えば制御部４０内の記憶手段（図示略）に記憶される。
【００４０】
次に、制御部４０は、使用する全ての駆動周波数について電力補正値が設定されたか否かを判断する（図４のステップＳ７）。全ての駆動周波数について電力補正値が設定されていない場合、ランプ制御部４２は駆動周波数を変更する（図４のステップＳ８）。上記の例で言えば、使用する３種類の周波数のうち、１５０Ｈｚ以外の周波数に対する電力補正値はまだ設定されていないため、ランプ制御部４２は駆動周波数を１ｋＨｚに変更する。その後、スクリーン照度の計測から電力補正値の設定までの上記の手順を繰り返す。
【００４１】
さらに、駆動周波数を２ｋＨｚに変更して同様の手順を繰り返し、使用する全ての駆動周波数、この例では３種類全ての駆動周波数について電力補正値が設定されると、駆動電力の補正モードは終了する。
【００４２】
駆動電力補正モードが終了した後、定常表示モードが開始される（図４のステップＳ９）。定常表示の際には、ランプ駆動部５４から、異なる周波数の交流波形が組み合わされた駆動電力がランプ５２に供給される。このとき、制御部４０において駆動周波数に応じた電力補正値が記憶手段から読み出され、その電力補正値がランプ駆動部５４に供給される。ランプ駆動部５４は、供給された電力補正値に応じた駆動電力でランプ５２を駆動する。
【００４３】
特にスクリーン照度の計測の際には、スクリーンＳＣ上には通常の画像が表示されていないことが望ましい。したがって、駆動電力の補正は、プロジェクター１０の電源投入直後、定常表示モードが開始する前に実行されることが望ましい。
【００４４】
本実施形態のプロジェクター１０は、動作モードとして駆動電力補正モードを備え、駆動電力の周波数ごとに電力補正値を決定し、これらの電力補正値を用いてランプ５２を駆動する。したがって、本実施形態のプロジェクター１０によれば、周波数が時間的に変化する駆動電力がランプ駆動部５４からランプ５２に供給された場合に画像の明るさ変動が抑えられ、表示品位の低下を抑制できる。
【００４５】
特に本実施形態の場合、スクリーン照度に基づいて画像の明るさが補正されるため、他の光学系を含めたプロジェクター全体として、観察者が直接観察する画像の明るさの変動を的確に抑制することができる。また本実施形態の場合、ランプ５２に供給する駆動電力を補正するため、駆動周波数が変化した際の追随性に優れる。
【００４６】
［第２実施形態］
以下、本発明の第２実施形態について、図５を用いて説明する。
図５は、第２実施形態のプロジェクターの概略構成図である。
図５において、第１実施形態で用いた図１と共通の構成要素には同一の符号を付し、詳細な説明を省略する。
【００４７】
図５に示すように、本実施形態のプロジェクター６０は、ランプ５２から射出される光の強度を計測する光強度センサー６２を備えている。光強度センサー６２の位置は特に限定されず、ランプ５２から射出される光が入射する位置でありさえすればよい。光強度センサー６２には、例えば可視域に感度を有し、ランプ５２から射出される光のうちの可視光成分の強度を計測するものが用いられる。もしくは、光強度センサー６２に、例えば紫外域や赤外域に感度を有し、ランプ５２から射出される光のうちの紫外光成分や赤外光成分の強度を計測するものが用いられてもよい。
その他の構成は、第１実施形態と同様である。
【００４８】
すなわち、本実施形態では、駆動電力の補正に用いる画像の明るさに対応するパラメーターとして、第１実施形態のスクリーン照度に代えて、ランプ５２から射出される光の強度を採用する。したがって、本実施形態の「光強度センサー６２」は特許請求の範囲の「パラメーター計測部」に相当する。
【００４９】
本実施形態の場合、光強度センサー６２は、ランプ５２からの射出光の強度を計測する。ランプ制御部４２は、現在の駆動電力に対するランプ５２からの射出光の強度の計測値と目標値とを比較する。計測値と目標値とが一致しない場合、駆動電力を変更しつつ、射出光強度の計測値と目標値とが一致するまで射出光の強度計測を繰り返す。射出光強度の計測値と目標値とが一致したら、その時点の駆動電力を電力補正値に設定する。この手順を複数種の駆動周波数で繰り返し、使用する全ての駆動周波数に対して電力補正値を決定する。
駆動電力の補正の全体的な手順は、第１実施形態と同様である。
【００５０】
本実施形態のプロジェクター６０においても、周波数が時間的に変化する駆動電力がランプ５２に供給された場合に画像の明るさ変動が抑えられ、表示品位の低下を抑制できる、という第１実施形態と同様の効果が得られる。
【００５１】
［第３実施形態］
以下、本発明の第３実施形態について、図６を用いて説明する。
図６は、第３実施形態のプロジェクターの概略構成図である。
図６において、第１実施形態で用いた図１と共通の構成要素には同一の符号を付し、詳細な説明を省略する。
【００５２】
図６に示すように、本実施形態のプロジェクター７０は、照度センサー３４と、ランプ５２から射出された光の量を調節する調光装置７２と、を備えている。調光装置７２には、周知の調光装置が用いられ、例えば可動式の遮光板、透過率を調整可能な液晶パネル等を用いることができる。制御部４０は、ランプ制御部４２に加え、調光装置制御部７４を備えている。調光装置制御部７４は、照度センサー３４の計測結果に基づいて、駆動周波数ごとに調光信号補正値を決定し、調光信号補正値を調光装置７２に供給する。
その他の構成は、第１実施形態と同様である。
【００５３】
本実施形態の場合、照度センサー３４は、スクリーン照度を計測する。調光装置制御部７４は、現在の駆動電力に対するスクリーン照度の計測値と目標値とを比較する。スクリーン照度の計測値と目標値とが一致しない場合、所定の調光信号に対応する調光量を変更し、スクリーン照度の計測値と目標値とが一致するまでスクリーン照度の計測を繰り返す。スクリーン照度の計測値と目標値とが一致したら、一致した時点の調光量に対応する調光信号を調光信号補正値に設定する。この手順を複数種の駆動周波数で繰り返し、使用する全ての駆動周波数に対して調光信号補正値を決定する。
調光量の補正の全体的な手順は、第１実施形態と同様である。
【００５４】
本実施形態のプロジェクター７０においても、周波数が時間的に変化する駆動電力がランプ５２に供給された場合に画像の明るさ変動が抑えられ、表示品位の低下を抑制できる、という第１実施形態と同様の効果が得られる。
【００５５】
なお、本発明の技術範囲は上記実施形態に限定されるものではなく、本発明の趣旨を逸脱しない範囲において種々の変更を加えることが可能である。
例えば上記実施形態では、画像の明るさに対応するパラメーターとして、スクリーン照度、ランプからの射出光強度を例示したが、例えばプロジェクター内の任意の光学部品での照度等、その他のパラメーターを用いてもよい。画像の明るさを補正する対象として、駆動電力、調光信号を例示したが、例えば液晶パネルに供給する画像信号を用いてもよい。その他、プロジェクターの具体的な構成については、上記実施形態の例に限らず、適宜変更が可能である。光変調素子としては、例えばデジタルマイクロミラーデバイス（ＤＭＤ）などを用いてもよい。
【符号の説明】
【００５６】
１０，６０，７０…プロジェクター、３２…液晶パネル（光変調素子）、３４…照度センサー（パラメーター計測部）、４０…制御部、４２…ランプ制御部、５０…照明装置、５２…ランプ、５４…ランプ駆動部、５８…投射光学系、６２…光強度センサー（パラメーター計測部）、７２…調光装置、７４…調光装置制御部、ＳＣ…スクリーン。
【図１】
2015114449.tif 000003
【図２】
2015114449.tif 000004
【図３】
2015114449.tif 000005
【図４】
2015114449.tif 000006
【図５】
2015114449.tif 000007
【図６】
2015114449.tif 000008